(57)【要約】【課題】災害時の避難場所において給電することの出来るベンチを提供する。【解決手段】公園や学校等の災害時に避難場所として指定されている施設に設置されるベンチにおいて座面または背もたれ部に太陽光発電パネルを配し、この太陽光発電パネルによって発電された電気を蓄えるための蓄電池がベンチ内部に格納されている。【選択図】図１
2018000908.tif 000002
【特許請求の範囲】
【請求項１】
公園や学校等の災害時に避難場所として指定されている施設に設置されるベンチにおいて座面または背もたれ部に太陽光発電パネルを配し、該太陽光発電パネルによって発電された電気を蓄えるための蓄電池がベンチ内部に格納されてことを特徴とするベンチ。
【請求項２】
更に座面下部には災害時に必要とされる器具を収納するスペースを有し、収納品の災害時以外の使用を防止するための施錠が無線でおこなえることを特徴とする請求項１に記載のベンチ。
【請求項３】
前記ベンチを解錠した後は、座面または背もたれ部に太陽光発電パネルの発電量を最大に保つために最適な方角に回転させることの出来る請求項１又は２に記載のベンチ。
【発明の詳細な説明】
【技術分野】
【０００１】本発明は、災害時の避難場所において給電することの出来る太陽光発電付きベンチに関する。
【背景技術】
【０００２】災害時に避難場所に指定されている施設や場所において公園などの場合は災害直後は、電気を使用することが出来ない場合がある。【０００３】災害時に避難場所に指定されている施設や場所では災害時に必要とされる器具を収納した箱状の保管庫（建屋を含む）が設置されているが、災害時以外の使用を防止するために施錠されている。【０００４】避難場所に指定されている箇所は多数あり、災害時に必要とされる器具を収納した箱状の保管庫の解錠を速やかに行うことは困難である。【０００５】なお、本出願人は、本発明に関連する先行技術については、本出願時においてその存在を知らない。
【先行技術文献】
【特許文献】
【非特許文献】
【発明の概要】
【発明が解決しようとする課題】
【０００６】本発明は、前記問題を解消するためになされたものであり、災害時に避難場所に指定されている施設や場所において給電することが出来、災害時に必要とされる器具を収納した座面下部の保管庫の解錠を速やかに行うことのできる太陽光発電付きベンチを提供することを目的とする。
【課題を解決するための手段】
【０００７】本発明にかかる太陽光発電付きベンチは、座面または背もたれ部に太陽光発電パネルを配設し、該太陽光発電パネルによって発電された電気を蓄えるための蓄電池が該太陽光発電付きベンチ内部に格納され、該蓄電池への給電に使用することに併せ、蓄電池からの給電により座面下部に災害時に必要とされる器具を収納された場所の施錠を無線により解錠できることを特徴とする。【０００８】本発明にかかる太陽光発電付きベンチは、昼間に使用し給電する際には、座面または背もたれ部に配設された太陽光発電パネルを発電の効率のよい方向へと移動又は回転することが出来ることを特徴とする。【０００９】本発明にかかる太陽光発電付きベンチは、ベンチ本体と太陽光発電パネルと蓄電池と太陽光発電パネルで発電された電気を給電できる電力に変換するための電力変換装置と蓄電池への過充電防止等を管理する制御装置と無線受信装置と電気で制御される施錠装置と移動用の車輪と太陽光発電パネルの角度調節装置から構成されていることを特徴とする。【００１０】前記構成の本発明にかかる太陽光発電付きベンチによれば、通常は太陽光パネルで発電された電気が蓄電池に備蓄され、災害時に使用する際には家庭用のコンセントで電気を使用する際と同じように使用することが出来、主に使用を想定しているのは携帯電話やスマートフォンなどへの充電となる。【００１１】前記太陽光発電付きベンチに配設された無線受信装置は無線ＬＡＮや携帯電話の電波を使用する事が出来る。【００１２】前記太陽光発電付きベンチに配設された電気で制御される施錠装置は、前記無線受信装置からの信号により電流を流して電気的に施解錠を行う留め金で施錠と解錠を行う。【００１３】ところで太陽光発電においては昼間の太陽光パネルの向きにより発電量が違うことが知られていますが本発明にかかる太陽光発電付きベンチが設置される場所は最適な発電が得られる方向や場所であるとは限られておらず、災害時には少しでも効率のよい発電を得るために配設された前記移動用の車輪等により発電に最適な場所に移動させる事が出来、併せて座面たは背もたれ部に配設された太陽光発電パネルの傾きも調節出来る機能も備えている。【００１４】前記太陽光発電付きベンチ本体には座面下部に災害時に必要とされる器具を収納した保管庫がある。【００１５】前記太陽光発電付きベンチ（長椅子）に配設された電気で制御される施錠装置は、災害時に必要とされる器具を収納した座面下部の保管場所を直接施錠している場合もあるが、器具を収納した座面下部のの保管場所を開閉するための機器の施錠や該機器を操作できなくするための扉の施錠に使用されることもある。【００１６】ところで蓄電池の性能を維持するためには定期的な放電が必要なことが知られており、蓄電池の放電のために光検出機で制御される電灯を配設する場合があり、該電灯はＬＥＤが望ましい。
【発明の効果】
【００１７】本発明にかかわる太陽光発電付きベンチは、蓄電池に備電された電気を速やかに携帯電話やスマートフォンに充電することが出来る。【００１８】本発明にかかわる太陽光発電付きベンチは、設置箇所が多数の場合でも、無線により同時に解錠することが出来る。【００１９】また太陽光パネルにより発電された電気を蓄電しているため蓄電池から常時放電していても環境への負荷が小さい。
【図面の簡単な説明】
【００２０】
【図１】本発明にかかわる太陽光発電付きベンチの全体の概略の構成を示す図である。
【発明を実施するための形態】
【００２１】以下、添付する図面を参照しつつ本発明にかかる太陽光発電付きベンチの実施形態を説明する。
【００２２】図１は本発明にかかる太陽光発電付きベンチの全体の概略の構成を示した図である。
図２は本発明にかかる太陽光発電付きベンチの側面方から見た側面を示した図である。
【００２３】図１に図示するように、太陽光発電付きベンチはベンチ本体０１ａとベンチの座面０１ｂと太陽光発電パネル０２と蓄電池０３と太陽光発電パネルで発電された電気を給電できる電力に変換するための電力変換装置０４と蓄電池への過充電防止等を管理する制御装置０５と無線受信装置０６と電気で制御される施錠装置０７と移動用の車輪等０８と太陽光発電パネルの角度調節装置０９を備えている。
【００２４】ベンチ本体０１の上面には太陽光発電パネル０２を配設してある。
【００２５】図２に図示するように蝶板１０を支点として太陽光発電パネル０２を配設してあるベンチの座面０１ｂは本体０１ａに対して開閉するように構成されており、角度調整装置０９により発電に適した角度で固定する事ができる。
【００２６】ベンチ本体０１ａの内部には蓄電池０３と電力変換装置０４と制御装置０５と無線受信装置０６と施錠装置０７が格納されている。
【００２７】ベンチ本体０１の上面配設された太陽光発電パネル０２で発電された電気は制御装置０５を通じて蓄電池０３へと接続され蓄電されており、蓄電池０３から電力変換装置０４へと送電され、無線受信装置０６と施錠装置０７へ給電している。
【００２８】前記のように構成されているので夜間太陽光発電パネル０２が発電していない場合でも電力変換装置０４と無線受信装置０６と施錠装置０７への給電は行われおり、２４時間いつでも無線受信装置０６からの信号を受け、施錠装置０７が稼働し、座面０１ｂを本体０１ａに対して開ける事が出来、図中には記載していないが本体０１ａ内部に収納された災害時に必要とされる器具を取り出し使用することが出来る。
【００２９】前記電力変換装置０４には家庭用のコンセントが接続されており、本体０１ａから座面０１ｂを開けることが出来れば、電力変換装置０４に接続されたコンセントから携帯電話、スマートフォン等への充電が可能となる。
【００３０】前記無線受信装置０６が受信する無線信号波は無線ＬＡＮや携帯電話の電波が望ましい。
【００３１】図１および図２では太陽光発電パネル０２は座面である座面０１ｂに配設されているが、背もたれの有るベンチの場合は、背もたれ部に配設される場合もある。
【００３２】前記施錠装置０７は図１では本体０１ａ内部に配設され、座面０１ｂを開けることが出来ないように施錠しているが、本体０１ａに対して座面０１ｂを開かない様に保持している器具を操作できないようにしている扉等を施錠するように配設される場合もある。
【００３３】太陽光発電パネル０２を配設してあるベンチの座面０１ｂは本体０１ａに対して開閉するように構成されており、角度調整装置０９により発電に適した角度で固定する事ができる事は前記したが、より効率よく太陽光発電パネル０２に発電させるためには、太陽光発電パネル０２が南を向いている事（太陽光の方向を向いている事）が効率が良いと言われているので、本体０１ａの下部に配設された車輪０８により方向を変えたり、移動することことが出来る。
【産業上の利用可能性】
【００３４】本発明にかかる太陽光発電付きベンチは、ベンチという用途以外にも同様の構成を用いることで他の災害時に必要とされる機器の産業分野において利用できる。
【符号の説明】
【００３５】０１ａ・・・ベンチ本体
０１ｂ・・・ベンチ座面
０２・・・太陽光発電パネル
０３・・・蓄電池
０４・・・電力変換装置
０５・・・制御装置
０６・・・無線受信装置
０７・・・施錠装置
０８・・・車輪
０９・・・角度調節装置
１０・・・蝶番
【図１】
2018000908.tif 000003
【図２】
2018000908.tif 000004